(57)【要約】  【課題】  洗剤を使用することなくマットの洗浄を能率よく行える小型のマット洗浄装置を提供する。  【解決手段】  マット洗浄装置３は、マットｍを一端（図の右側）から他端（図の左側）へ搬送する搬送手段４と、マットｍの裏面２を下方へ向けて打撃する打撃手段５と、マットｍの表面１に洗浄水を噴水する噴水手段６と、マットｍの表面１に滑り接触する回転ブラシ７と、マットｍの表面１及び裏面２の相対向する箇所に圧縮空気を各々噴射する吹水手段８とを備える。  【選択図】  図１
2006218389.tif 000002
【特許請求の範囲】
【請求項１】
表面及び裏面を有し前記表面に植毛されたマットを、洗浄する洗浄装置であって、前記表面を下方へ向けた姿勢で一端から他端へ搬送する搬送手段と、前記マットの裏面を下方へ向けて打撃する打撃手段と、該打撃手段にて打撃された前記マットの表面に洗浄水を噴水する噴水手段と、前記マットから洗浄水を除去する脱水手段とを備えることを特徴とするマット洗浄装置。
【請求項２】
表面及び裏面を有し前記表面に植毛されたマットを、洗浄する洗浄装置であって、前記表面を下方へ向けた姿勢で一端から他端へ搬送する搬送手段と、前記マットの裏面を下方へ向けて打撃する打撃手段と、前記マットの表面に洗浄水を噴水する噴水手段と、前記マットの表面に滑り接触する回転ブラシと、前記マットの表面及び裏面の相対向する箇所に空気を各々噴射する吹水手段と、前記マットから洗浄水を除去する脱水手段とを備えることを特徴とするマット洗浄装置。
【請求項３】
表面及び裏面を有し前記表面に植毛されたマットを、前記表面を下方へ向けた姿勢で一端から他端へ搬送する搬送手段と、
前記搬送手段に搬送されるマットの裏面を、下方へ向けて打撃する打撃手段と、
前記搬送手段に搬送される前記マットの表面に、洗浄水を噴水する噴水手段と、
前記搬送手段に搬送される前記マットの表面に、滑り接触する回転ブラシと、
前記搬送手段に搬送される前記マットの表面及び裏面の相対向する箇所に、空気を各々噴射する吹水手段とを備え、
前記打撃手段、前記噴水手段、前記回転ブラシ、及び前記吹水手段を、前記搬送手段の一端から他端へ向けて順に配置したことを特徴とするマット洗浄装置。
【請求項４】
前記搬送手段の他端まで搬送された前記マットから洗浄水を除去する脱水手段を備えることを特徴とする請求項３に記載のマット洗浄装置。
【請求項５】
前記打撃手段の下方に集塵部材を設け、前記噴水手段、前記回転ブラシ、及び前記吹水手段の下方に、前記洗浄水を回収する集水部材を設けたことを特徴とする請求項１乃至４の何れか記載のマット洗浄装置。
【請求項６】
前記集水部材に回収される前記洗浄水を循環させ前記噴水手段へ圧送する給水手段と、前記洗浄水を浄化する浄化手段とを備えたことを特徴とする請求項５に記載のマット洗浄装置。
【請求項７】
前記搬送手段が、前記マットを一端から搬入する搬入手段と、該搬入手段にて搬入された前記マットを他端から搬出する搬出手段とを備え、前記搬入手段が前記マットを搬入する速度よりも、前記搬出手段が前記マットを搬出する速度が速いことを特徴とする請求項１乃至６の何れかに記載のマット洗浄装置。
【発明の詳細な説明】
【技術分野】
【０００１】
本発明は、建物の通路、階段の踊り場、又は床等に敷かれるマットを洗浄するマット洗浄装置に関する。
【背景技術】
【０００２】
従来から、可撓性シートの表面を覆って植毛が施されたマットが周知である。これは、足拭きマット等と称され、通行人の靴裏に着いた砂、埃、又は汚水を、植毛に絡めて吸着することができる。従って、マットの表面には砂等が徐々に蓄積することになるため、定期的な洗浄が不可欠である。下記の特許文献には、マット洗浄に係る技術が開示されている。
【特許文献１】特開２００３−１９０８９７号公報(特許第3546038号）
【特許文献２】特開２００１−４６９９０号公報
【発明の開示】
【発明が解決しようとする課題】
【０００３】
上記のマットを水を用いて洗浄するには、マットの表面に潜り込んだ砂等を同表面から押出せる程高い水圧で、水を連続的に噴射しなければならない。この場合、一度に大量の水を加圧できる大型で高出力のポンプ、又は大掛かりな圧縮機を要するので、洗浄装置の全体が大型化することは避けられない。更に洗浄効果を高めるために、洗剤を併用する場合がある。しかしながら、水の大量消費、洗剤による水の汚染、又は上記の圧縮機等による電力消費は、環境負荷を軽減する観点に照らして好ましくない。
【０００４】
そこで、本発明の目的とするところは、洗剤を使用することなくマットの洗浄を能率よく行える小型のマット洗浄装置を提供することにある。
【課題を解決するための手段】
【０００５】
本発明は、表面及び裏面を有し前記表面に植毛されたマットを、洗浄する洗浄装置に係るものであって、前記表面を下方へ向けた姿勢で一端から他端へ搬送する搬送手段と、前記マットの裏面を下方へ向けて打撃する打撃手段と、該打撃手段にて打撃された前記マットの表面に洗浄水を噴水する噴水手段と、前記マットから洗浄水を除去する脱水手段とを備えることを特徴とする。
【０００６】
また、本発明は、表面及び裏面を有し前記表面に植毛されたマットを、洗浄する洗浄装置に係るものであって、前記表面を下方へ向けた姿勢で一端から他端へ搬送する搬送手段と、前記マットの裏面を下方へ向けて打撃する打撃手段と、前記マットの表面に洗浄水を噴水する噴水手段と、前記マットの表面に滑り接触する回転ブラシと、前記マットの表面及び裏面の相対向する箇所に空気を各々噴射する吹水手段と、前記マットから洗浄水を除去する脱水手段とを備えることを特徴とする。
【０００７】
また、本発明に係るマット洗浄装置は、表面及び裏面を有し前記表面に植毛されたマットを、前記表面を下方へ向けた姿勢で一端から他端へ搬送する搬送手段と、前記搬送手段に搬送されるマットの裏面を、下方へ向けて打撃する打撃手段と、前記搬送手段に搬送される前記マットの表面に、洗浄水を噴水する噴水手段と、前記搬送手段に搬送される前記マットの表面に、滑り接触する回転ブラシと、前記搬送手段に搬送される前記マットの表面及び裏面の相対向する箇所に、空気を各々噴射する吹水手段とを備え、前記打撃手段、前記噴水手段、前記回転ブラシ、及び前記吹水手段を、前記搬送手段の一端から他端へ向けて順に配置したことを特徴とする。
【０００８】
更に、本発明に係るマット洗浄装置は、前記搬送手段の他端まで搬送された前記マットから洗浄水を除去する脱水手段を備えることを特徴とする。
【０００９】
更に、本発明に係るマット洗浄装置は、前記打撃手段の下方に集塵部材を設け、前記噴水手段、前記回転ブラシ、及び前記吹水手段の下方に、前記洗浄水を回収する集水部材を設けたことを特徴とする。
【００１０】
更に、本発明に係るマット洗浄装置は、前記集水部材に回収される前記洗浄水を循環させ前記噴水手段へ圧送する給水手段と、前記洗浄水を浄化する浄化手段とを備えたことを特徴とする。
【００１１】
更に、本発明に係るマット洗浄装置は、前記搬送手段が、前記マットを一端から搬入する搬入手段と、該搬入手段にて搬入された前記マットを他端から搬出する搬出手段とを備え、前記搬入手段が前記マットを搬入する速度よりも、前記搬出手段が前記マットを搬出する速度が速いことを特徴とする。
【発明の効果】
【００１２】
本発明に係るマット洗浄装置によれば、搬送手段がその一端から他端へマットを搬送する過程で、植毛されたマットの表面が下方へ向けられ、この姿勢のマットの裏面を打撃手段が下方へ向けて打撃するので、マットの表面に潜り込んだ砂塵を同表面から叩き出し、同時に砂塵をマットから落下させられる。このように機械的な衝撃によって砂塵の排出を促すので、従来のような高い水圧で水を連続的に噴射する場合に比較して、ポンプ又は圧縮機が不要である分、当該装置を小型化することができる。しかも、過剰な電力消費を避けることができる。また、マットから一旦落下した砂塵が再びマットに付着しないという利点がある。
【００１３】
更に、本発明に係るマット洗浄装置は、打撃手段、噴水手段、回転ブラシ、及び吹水手段を、搬送手段の一端から他端へ向けて順に配置しているので、打撃手段により十分に砂塵が排出されたマットの表面に、噴水手段が洗浄水を噴水した後で、回転ブラシがマットの表面に滑り接触する。
【００１４】
上記の打撃手段に打撃された後のマットの表面には、比較的小さな粒子、又は比重の軽い粒子を主体とする粉塵だけが残るので、このような粉塵は、噴水手段から噴水される洗浄水によって簡単に洗い流すことができる。しかも、粉塵がマットの表面に固着又は粘着していても、これを回転ブラシが擦り落とすのと同時に、回転ブラシがマットの表面に滑り接触する際の振動により、粉塵がマットの表面から剥離するのを助成できる。
【００１５】
以上のように、当該装置によれば、洗剤の界面活性作用に依存することなく、粉塵の除去を効率よく行えるので、洗剤を一切使用しなくて済み、水質汚染による環境問題の改善に大きく貢献できる。また、噴水手段が洗浄水を噴水する水圧は、マットの表面に潜り込んだ砂塵を押出せる程高く設定する必要がないので、高出力のポンプ又は大掛かりな圧縮機が不要である。従って、既述の通り、当該装置の小型化、及び省エネ化を実現することができる。
【００１６】
続いて、マットが搬送手段の他端から搬出される前に、マットの表面及び裏面の相対向する箇所に、吹水手段が空気を各々噴射するので、マットの表面から洗浄水を吹き飛ばし、マットが搬送手段の他端から搬出された後に、マットの表面が乾燥するのに要する時間を短縮できる。同時に、以上に述べた洗浄過程でマットの表面から飛散した水滴、又は埃等がマットの裏面に僅かに付着する場合があるが、このような水滴又は埃等を、マットの裏面から確実に除去することができる。
【００１７】
更に、本発明に係るマット洗浄装置は、例えば、吸水性に優れた材質から成るローラをマットの表面に回転接触させ、或いは、マットの表面に浸透した洗浄水を負圧を用いて吸引できるよう構成した脱水手段を備える場合、搬送手段の他端まで搬送されたマットから洗浄水を積極的に除去できる。これにより、マットが搬送手段の他端から搬出された後に、マットの表面が乾燥するのに要する時間を一層短縮させることができる。
【００１８】
更に、本発明に係るマット洗浄装置は、打撃手段の下方に集塵部材を設けているので、打撃手段にマットが打撃された際に、同マットから落下する砂塵を集塵部材に受け止めさせられる。しかも、噴水手段、回転ブラシ、及び吹水手段の下方に集水部材を設けているので、洗浄水と共にマットの表面から洗い流された粉塵を、集水部材に回収させられる。従って、マットから落下した砂塵と、洗浄水に含まれる粉塵とを分別する手間を省き、砂塵だけを容易に処分することができる。
【００１９】
更に、本発明に係るマット洗浄装置によれば、集水部材に回収される洗浄水を、給水手段が循環させ噴水手段へ圧送するので、マットの洗浄を連続して行う場合に、マットに噴水した洗浄水を廃棄することがなく、また新たな洗浄水を補給する必要もない。従って、水道水等の消費を最小限に抑えることができる。しかも、洗浄水を循環する過程で、浄化手段が洗浄水を浄化することにより、マットから一旦洗い流された粉塵を再びマットに付着させないという利点がある。
【００２０】
更に、本発明に係るマット洗浄装置によれば、搬入手段がその一端からマットを搬入する速度よりも、搬出手段がその他端からマットを搬出する速度を速く設定しているので、マットに張力を発生させ、マット全体を緊張させられる。このため、例えば打撃手段が高速でマットを打撃すること、或いは、回転ブラシがマットに強く接触することで、マットの搬送を妨げようとする抵抗がマットに加わっても、洗浄過程でマットが捩れるようなことはない。従って、マットが打撃手段又は回転ブラシに絡み付くという事態を予防し、当該装置の安定した稼動を実現することができる。
【発明を実施するための最良の形態】
【００２１】
図１に示すように、本発明の実施形態で取扱うマットｍは、表面１及び裏面２を有する可撓性シートを素地とし、その表面１に植毛を施したものである。通常、マットｍは、裏面２を下向きにして床等に敷かれるが、これを、マット洗浄装置３を用いて洗浄する際には、表面１を下向きにする。
【００２２】
マット洗浄装置３は、マットｍを図に表れていないハウジングの一端（図の右側）から他端（図の左側）へ搬送する搬送手段４と、マットｍの裏面２を下方へ向けて打撃する打撃手段５と、マットｍの表面１に洗浄水を噴水する噴水手段６と、マットｍの表面１に滑り接触する回転ブラシ７と、マットｍの表面１及び裏面２の相対向する箇所に圧縮空気を各々噴射する吹水手段８とを備える。
【００２３】
搬送手段４は、上記ハウジングの内部に、複数のローラ４１〜４５を互いに水平方向に隔てて回転自在に配置し、その他端に位置するローラ４５を、搬送用回転機Ｍ１により図中で反時計回りに回転させ、更に、チェーン等から成る無端状鎖体４６を介してローラ４５に他の総てのローラ４１〜４４を従動させている。ローラ４１，４３，４５のそれぞれの真上には、マットｍの裏面２を下方へ押付ける押圧ローラ４７が各々配置され、これらのローラ４１，４３，４５とマットｍの表面１との摩擦力を増すことで、ローラ４５の回転にマットｍを確実に従わせて搬送できる。矢印Ｔは搬送手段４がマットｍを搬送する搬送方向を指す。ローラ４１は、マットｍを上記ハウジングの一端から搬入する搬入手段の役割を果たし、ローラ４５は、この搬入手段にて搬入されたマットｍを上記ハウジングの他端から搬出する搬出手段の役割を果たす。
【００２４】
打撃手段５は、マットｍの搬送方向に沿って延びる揺動片５１を回転軸５２に取付け、例えばクランク揺れ腕Ｇを打撃用回転機Ｍ２に接続し、クランク揺れ腕Ｇの出力によって回転軸５２を、図中で時計周り又は反時計回りに交互に回転させるものである。このような回転軸５２の動作に伴って、揺動片５１は、小刻みに上下動しながらマットｍの裏面２に繰り返し衝突する。
【００２５】
図中には、揺動片５１が１本だけ表れているが、実際には、回転軸５２はマットｍの幅方向（搬送方向に対して直交する水平方向）に延びる形状であり、このような回転軸５２に、互いに幅方向に隔たる複数の揺動片５１が各々取付けられている。同様に、噴水手段６、及び吹水手段８も、それぞれ幅方向に複数個並べて配置されている。
【００２６】
噴水手段６は、マットｍの裏面２に先端口を向けた洗浄ノズル６１と、図２に示した給水タンク９から洗浄水を引き揚げて洗浄ノズル６１へ圧送するポンプから成る給水手段６２とを備える。回転ブラシ７は、マットｍの幅方向へ延びる円筒体７１の周面にブラシ７２を設け、ブラシ７２の毛先がマットｍの裏面２に接触する位置で、円筒体７１をブラシ用回転機Ｍ３にて図中を時計周りに回転させるものである。吹水手段８は、マットｍを上下方向から挟みそれぞれの先端口を対向させた一対のエアノズル８１に、エアコンプレッサ等の供給源８２から圧縮空気を供給することにより、マットｍの表面１及び裏面２に圧縮空気を各々噴射するものである。
【００２７】
以上に述べたマット洗浄装置３によれば、搬送手段４がマットｍを搬送する過程で、マットｍの裏面２を打撃手段５が下方へ向けて打撃するので、マットｍの表面１に潜り込んだ砂塵をマットｍから叩き出すことができる。このように機械的な衝撃によって砂塵の排出を促すので、従来のような高い水圧で水を連続的に噴射する場合に比較して、水を強力に圧送するための大型のポンプ又は大掛かりな圧縮機が不要である。その分、マット洗浄装置３を小型化することができ、しかも過剰な電力消費を避けることもできる。また、マットｍから一旦叩き出された砂塵は、そのままマットｍから落下するので、砂塵が再びマットｍに付着することはない。
【００２８】
更に、打撃手段５、噴水手段６、吹水手段８、回転ブラシ７、及び吹水手段８を、それぞれ上記ハウジングの一端から他端へ向けて順に配置しているので、打撃手段５により十分に砂塵が排出されたマットｍの表面１に、噴水手段６が洗浄水を噴水した後で、回転ブラシ７がマットｍの表面１に滑り接触する。このとき、打撃手段５にて既に打撃されたマットｍの表面１には、比較的小さな粒子、又は比重の軽い粒子を主体とする粉塵だけが残っているに過ぎないので、このような粉塵は、噴水手段６から噴水される洗浄水によって簡単に洗い流すことができる。しかも、粉塵がマットｍの表面１に固着又は粘着していても、これを回転ブラシ７が擦り落とすのと同時に、回転ブラシ７がマットｍの表面１に滑り接触する際の振動により、粉塵がマットｍの表面１から剥離するのを助成できる。
【００２９】
従って、洗剤の界面活性作用に依存することなく、粉塵の除去を効率よく行えるので、洗剤を一切使用しなくて良い。また、噴水手段６が洗浄水を噴水する水圧は、マットｍの表面１に潜り込んだ砂塵を押出せる程高くはないので、高出力のポンプ又は大掛かりな圧縮機が不要である。
【００３０】
続いて、マットｍが搬送手段４の他端から搬出される前に、マットｍの表面１及び裏面２の相対向する箇所に、吹水手段８が圧縮空気を各々噴射するので、マットｍの表面１から洗浄水を吹き飛ばし、マットｍが上記ハウジングの他端から搬出された後に、マットｍの表面１が乾燥するのに要る時間を短縮できる。同時に、以上に述べた洗浄過程でマットｍの表面１から飛散した水滴、又は埃等がマットｍの裏面２に僅かに付着する場合があるが、このような水滴又は埃等を、マットｍの裏面２から確実に除去できる。
【００３１】
更に、マット洗浄装置３は、図示を省略しているが、吹水手段８にて洗浄水を吹き飛ばされたマットｍから積極的に水分を除去するために、例えば、吸水性に優れた材質から成るローラをマットｍの表面１に回転接触させるよう構成した脱水手段を備える。或いは、マットｍの表面１に浸透した洗浄水を負圧を用いて吸引できるよう構成しても良い。
【００３２】
更に、マット洗浄装置３は、打撃手段５の下方に集塵部材１０を設けているので、打撃手段５にマットｍが打撃された際に、マットｍから落下する砂塵を集塵部材１０に受け止めさせ、更に集塵機１１によって砂塵を回収できる。しかも、噴水手段６、回転ブラシ７、及び吹水手段８の下方に集水部材１２を設けているので、洗浄水と共にマットｍの表面１から洗い流された粉塵を、集水部材１２に回収させられる。従って、マットｍから落下した砂塵と、洗浄水に含まれる粉塵とを分別する手間を省き、集塵機１１に回収された砂塵だけを容易に処分することができる。
【００３３】
一方、集水部材１２に回収された洗浄水は、ポンプ１３により給水タンク９へ一旦送られるが、再び給水手段６２により噴水手段６へ圧送される。このように洗浄水を循環できるので、マットｍの洗浄を連続して行う場合に、マットｍに噴水した洗浄水を廃棄することがなく、また新たな洗浄水を補給する必要もない。従って、水道水等の消費を最小限に抑えられる。しかも、洗浄水を循環する過程で、例えばサイクロンの原理に基づく浄化手段１４、及び図に表れていない濾過器を用いて洗浄水を浄化できるので、マットｍから一旦洗い流された粉塵が再びマットｍに付着することはない。
【００３４】
また、ローラ４１（搬入手段）がマットｍを搬入する速度よりも、ローラ４３又はローラ４５（搬出手段）がマットｍを搬出する速度を速くすることが望ましい。このような速度差を設定するには、例えば、個々のローラ４１，４３，４５の直径を違えること、或いは無端状鎖体４６をローラに各々巻掛けするスプロケットの歯数を互いに違えることで行える。これにより、マットｍに張力を発生させてマットｍ全体を緊張させられるので、例えば、打撃手段５が高速でマットｍを打撃すること、或いは、回転ブラシ７がマットｍに強く接触することで、マットｍの搬送を妨げようとする抵抗がマットｍに加わっても、マットｍが捩れることがない。従って、マットｍが打撃手段５又は回転ブラシ７に絡み付くという事態を予防できる。
【００３５】
尚、本発明は、その趣旨を逸脱しない範囲で当業者の知識に基づき種々なる改良、修正、又は変形を加えた態様で実施できる。例えば、打撃手段に代えて、上下方向の振動を奏するバイブレターを適用しても良い。打撃手段５、噴水手段６、吹水手段８、回転ブラシ７、及び吹水手段８は、それぞれ１基ずつ図示したが、これらの何れか又は総てを２基以上に増やしても良い。
【産業上の利用可能性】
【００３６】
本発明に係るマット洗浄装置は、店舗又は公共施設のような広範な場所に敷かれるマットに加え、家庭の玄関等に敷かれマットを洗浄するのにも有益である。また、当該マット洗浄装置は小型でトラック等に車載できるので、マットが敷かれている現地まで出張して、マットの洗浄作業を簡便に行える。
【図面の簡単な説明】
【００３７】
【図１】本発明の実施形態に係るマット洗浄装置の要部の概略を示す側面図。
【図２】本発明の実施形態に係るマット洗浄装置に適用した洗浄水の循環経路の概略を示す概略図。
【符号の説明】
【００３８】
ｍ：マット
１：表面
２：裏面
３：マット洗浄装置
４：搬送手段
５：打撃手段
６：噴水手段
７：回転ブラシ
８：吹水手段
９：給水タンク
１０：集塵部材
１２：集水部材
１４：浄化手段
４１：ローラ（搬入手段）
４５：ローラ（搬送手段）
【図１】
2006218389.tif 000003
【図２】
2006218389.tif 000004